(57)【要約】【課題】器具本体から制光体を外す際に制光体の落下を抑制できる照明器具を提供する。【解決手段】四角形状の開口3aを有したセード３を器具本体２にその下方から押上げることで、開口縁部11を本体２に固定されたセード取付け装置４に着脱可能に係合して、セードを本体２に取付ける照明器具を前提とする。装置４が、ラッチベース21に取付けられた仮保持部材25、ラッチ31、ロック部材41を備える。ラッチ31は、仮保持部材25に係脱する凹部35、縁部11で押される押動部33、この面の下側に設けられて開口縁部11を下側から受ける支持部34を有する。ラッチを、開口縁部11を支持する支持位置と、この支持を解除する支持解除位置とにわたり回転可能に設ける。ロック部材41は、ラッチの回転を妨げるロック位置と、ラッチの回転を許すロック解除位置とにわたり移動可能に設けられ、開口縁部11で押上げられてロック解除位置に移動される。仮保持部材25の凹部35への係合でラッチ31の回転が支持位置と支持解除位置との間で抑制されるようにしている。【選択図】      図９
2006324139.tif 000002
【特許請求の範囲】
【請求項１】
器具本体と；この器具本体に固定された制光体取付け装置と；上端部に開口を有し、前記器具本体にその下方から押上げられることで前記開口の縁部を前記制光体取付け装置に着脱可能に係合して、前記器具本体に取付けられる制光体と；を具備する照明器具において、
前記制光体取付け装置が、
前記器具本体に固定されるラッチベースと；
このラッチベースに取付けられた仮保持部材と；
この仮保持部材に係脱する凹部、前記制光体の開口の縁部で押される押動部、及びこの押動部の下側に設けられて前記開口の縁部を支持する支持部を有して、前記開口の縁部を支持する支持位置と、前記開口の縁部の支持を解除する支持解除位置とにわたって回転可能に前記ラッチベースに取付けられたラッチと；
前記支持位置に配置された前記ラッチの回転を妨げるロック位置と、前記ラッチの回転を許すロック解除位置とにわたって移動可能に前記ラッチベースに取付けられ、かつ、前記開口の縁部で押上げられて前記ロック解除位置に移動されるロック部材と；を備えていて、
前記凹部への前記仮保持部材の係合によって前記ラッチの回転が前記支持位置と支持解除位置との間で抑制されるようにしたことを特徴とする照明器具。
【請求項２】
器具本体と；この器具本体に固定された制光体取付け装置と；上端部に開口を有し、前記器具本体にその下方から押上げられることで前記開口の縁部を前記制光体取付け装置に着脱可能に係合して、前記器具本体に取付けられる制光体と；を具備する照明器具において、
前記開口の縁部が、前記開口の内側に開放する内向き溝を形成する縁部上側部分と、この縁部に連続して前記開口の外側に開放する外向き溝を形成する縁部下側部分とを有し、
前記制光体取付け装置が、
前記器具本体に固定されたベースと；
このベースに、前記器具本体の下面に沿う第１位置と、前記器具本体に対して斜めとなる第２位置とにわたって回転可能に取付けられて、この回転の中心側に前記外向き溝が係脱する支持部を有し自由端側に前記内向き溝が係脱する仮保持部を有し、かつ、これら支持部と仮保持部との間に前記縁部上側部分が出し入れされる間隙を形成したラッチと；
このラッチと前記ベースとの間に配置されて前記ラッチを前記第１位置と第２位置とに選択的に保持させるトグルばねと；を備えていて、
前記制光体が前記器具本体から外される際に前記器具本体の一方の縁部に設置された方の前記制光体取付け装置を支点として前記制光体が斜めとなった時に、この制光体取付け装置のラッチの仮保持部に、前記制光体の縁部上側部分が係合されるようにしたことを特徴とする照明器具。
【発明の詳細な説明】
【技術分野】
【０００１】
本発明は、天井に直付けされる角形の照明器具に関する。
【背景技術】
【０００２】
従来、天井に直付けされた四角形の器具本体に、これを覆う四角形のカバーを取付ける構成として、引っ掛け部を有して器具本体にカバーを位置決めする凸部を、器具本体の互いに平行な二つの縁部の中央部に設け、これらの縁部に対応するカバーの縁部の中央部に引っ掛け部に係合する凹部を設けた照明器具が知られている（例えば、特許文献１参照。）。
【０００３】
この照明器具では、器具本体にカバーを取付ける場合に、カバーを器具本体に向けて押上げることより凹部を引っ掛け部に係合させるが、この際にカバーの凹部がガイドとして働くので、器具本体の四隅にガイドを設ける必要がない。
【特許文献１】特開平８−１４８０１５号公報（段落0003−0006、図１）
【発明の開示】
【発明が解決しようとする課題】
【０００４】
カバーなどの制光体は、ランプ交換等の際に器具本体から外されるが、特許文献１の照明器具では、カバーを器具本体から外すことについては何ら言及していない。この特許文献１では、カバー全体を強く引き下げることで、凹部と引っ掛け部との係合を外してカバーを外すことが可能であるかもしれない。
【０００５】
しかし、こうした操作で凹部と引っ掛け部との係合が外されると、器具本体にカバーを保持できなくなる。そのため、天井側高所でのカバー取外し作業において、器具本体へのカバーの保持が解除されると、直ぐにカバーが落下することできるので、カバーを取り落とす恐れがある。
【０００６】
本発明の目的は、器具本体から制光体を外す際に制光体の落下を抑制できる照明器具を提供することにある。
【課題を解決するための手段】
【０００７】
前記課題を解決するために、請求項１の発明は、器具本体と；この器具本体に固定された制光体取付け装置と；上端部に開口を有し、前記器具本体にその下方から押上げられることで前記開口の縁部を前記制光体取付け装置に着脱可能に係合して、前記器具本体に取付けられる制光体と；を具備する照明器具において、前記制光体取付け装置が、前記器具本体に固定されるラッチベースと；このラッチベースに取付けられた仮保持部材と；この仮保持部材に係脱する凹部、前記制光体の開口の縁部で押される押動部、及びこの押動部の下側に設けられて前記開口の縁部を支持する支持部を有して、前記開口の縁部を支持する支持位置と、前記開口の縁部の支持を解除する支持解除位置とにわたって回転可能に前記ラッチベースに取付けられたラッチと；前記支持位置に配置された前記ラッチの回転を妨げるロック位置と、前記ラッチの回転を許すロック解除位置とにわたって移動可能に前記ラッチベースに取付けられ、かつ、前記開口の縁部で押上げられて前記ロック解除位置に移動されるロック部材と；を備えていて、前記凹部への前記仮保持部材の係合によって前記ラッチの回転が前記支持位置と支持解除位置との間で抑制されるようにしたことを特徴としている。
【０００８】
この発明及び以下の発明で、器具本体と制光体の開口は四角形状であることが好ましく、この四角形状には正方形状及び長方形状が含まれる。又、この発明及び以下の発明で、制光体には、例えばセード、グローブ、カバー、及びバッフルなどが含まれる。
【０００９】
請求項１の発明で、制光体を器具本体にその下方から押付けて器具本体に取付ける際に、制光体の開口の縁部がラッチの押動部を押してラッチを支持位置に回転させているので、ラッチの支持部が制光体の開口の縁部を支持している。更に、この支持状態では、ロック部材がロック位置に配置されてラッチの回転を妨げるようにラッチを保持しているとともに、ラッチの凹部に仮保持部材が係合している。
【００１０】
この状態から制光体を外すには、制光体を一旦押上げた後に引き下げればよい。制光体の押上げにより、その開口の縁部がラッチをロック解除位置に押し動かすので、次の引き下げに伴って開口の縁部で押される支持部を介してラッチが支持位置から支持解除位置に向けて回転できる。この場合、ラッチの支持位置と支持解除位置との間において凹部に係合している仮保持部材によって、ラッチの回転が抑制されるので、この時点で、制光体の下降を一旦停止させて仮止め状態に保持できる。この状態では、制光体から作業者の手が離れていても、制光体が落下することはない。そして仮止め状態から制光体を引き下げてラッチを回転させてその凹部から仮保持部材を外すことにより、制光体を器具本体から外すことができる。
【００１１】
このように請求項１の発明では、器具本体から制光体を外す場合に、制光体を支持するラッチのロックを外した後にラッチが支持解除位置まで一気に回転されることがなく、ラッチの回転が途中で止まるので、制光体が外れ落ちる恐れを抑制できる。
【００１２】
又、前記課題を解決するために、請求項２の発明は、器具本体と；この器具本体に固定された制光体取付け装置と；上端部に開口を有し、前記器具本体にその下方から押上げられることで前記開口の縁部を前記制光体取付け装置に着脱可能に係合して、前記器具本体に取付けられる制光体と；を具備する照明器具において、前記開口の縁部が、前記開口の内側に開放する内向き溝を形成する縁部上側部分と、この縁部に連続して前記開口の外側に開放する外向き溝を形成する縁部下側部分とを有し、前記制光体取付け装置が、前記器具本体に固定されたベースと；このベースに、前記器具本体の下面に沿う第１位置と、前記器具本体に対して斜めとなる第２位置とにわたって回転可能に取付けられて、この回転の中心側に前記外向き溝が係脱する支持部を有し、自由端側に前記内向き溝が係脱する仮保持部を有し、かつ、これら支持部と仮保持部との間に前記縁部上側部分が出し入れされる間隙を形成したラッチと；このラッチと前記ベースとの間に配置されて前記ラッチを前記第１位置と第２位置とに選択的に保持させるトグルばねと；を備えていて、前記制光体が前記器具本体から外される際に前記器具本体の一方の縁部に設置された方の前記制光体取付け装置を支点として前記制光体が斜めとなった時に、この制光体取付け装置のラッチの仮保持部に、前記制光体の縁部上側部分が係合されるようにしたことを特徴としている。
【００１３】
請求項２の発明で、器具本体にその下方から押付けられて器具本体に取付けられた制光体は、その開口の縁部の外向き溝を、トグルばねの力で器具本体の下面に沿う第１位置に保持されたラッチの支持部に係合して、器具本体に取付け保持されている。
【００１４】
この状態から制光体を外すには、制光体の一側縁を中心にこの側縁と平行な他側縁を一旦下げて制光体を斜めにした後に、前記一側縁をこれが係合しているラッチから外せばよい。以上のように制光体を斜めとなるように引き下げることによって、第１位置に配置されていたラッチに対するトグルばねのばね力の作用方向が変わって、ラッチが第２位置に配置された状態に保持される。これにより、前記一側縁を保持している方のラッチは、その仮保持部が支持部より下側に位置するように斜めになる。この時、傾けられた制光体がその傾斜に沿って自重で下がるので、それまでラッチの支持部に係合されていた縁部上側部分が直ちにラッチの仮保持部に至って、この縁部上側部分の内向き溝が仮保持部に係合される。この時点で、制光体の下降が一旦停止されて、制光体を仮止め状態に保持できる。この状態では、制光体から作業者の手が離れても、制光体が落下することはない。そして、仮止め状態で、制光体を操作してラッチから外すことにより、制光体を器具本体から外すことができる。
【００１５】
このように請求項２の発明では、器具本体から制光体を傾けて外す場合に、制光体が傾くに伴って第２位置に配置されたラッチの仮保持部に、制光体の開口の縁部を一旦引っ掛けて保持できるので、制光体が外れ落ちる恐れを抑制できる。
【発明の効果】
【００１６】
請求項１の発明によれば、器具本体から制光体を引き外す際に、ラッチのロックを外した状態で制光体を器具本体に仮保持できるので、器具本体から制光体を外す際に制光体が落下することを抑制できる照明器具を提供できる。
【００１７】
請求項２の発明によれば、器具本体から制光体を傾けて外す際に、制光体が傾くに伴って第２位置に配置されたラッチに制光体を仮保持できるので、器具本体から制光体を外す際に、制光体が落下することを抑制できる照明器具を提供できる。
【発明を実施するための最良の形態】
【００１８】
図１〜図１１を参照して本発明の第１実施形態を説明する。
【００１９】
図１中符号１は天井直付け型の照明器具を示している。この照明器具１は、角形のものであって、器具本体２と、制光体例えばセード３と、複数の制光体取付け装置４（以下取付け装置４と略称する。）と、を備えている。
【００２０】
図１に示した天井面Ｆに直付けして設置される器具本体２は、四角形状例えば図２に示すように正方形状をなしている。図１及び図２に示すように器具本体２は、例えば四角枠状の本体枠２ａの下面に反射部材２ｂを装着して形成されている。反射部材２ｂは本体枠２ａの外形より一回り小さく、それにより本体枠２ａの周部は反射部材２ｂで覆われていない。反射部材２ｂの下面には、複数のランプホルダ６等を用いて蛍光ランプ７が取付けられている。蛍光ランプ７は、四角形をなしていて、その四箇所の直管部分が器具本体２の四つの縁部に平行となる姿勢で配置されている。
【００２１】
セード３は、透光性、好ましくは光を拡散しつつ透過させる乳白色の合成樹脂をブロー成形してなる成形体である。セード３は、器具本体２の形状に応じて、この器具本体２より一回り大きい四角形状に形成されている。
【００２２】
図３に示すようにセード３の上端部には四角形状の開口３ａが設けられている。開口３ａは、セード３の外形より小さく、かつ、反射部材２ｂより大きい。この開口３ａの縁部、つまり開口縁部１１の互いに直角に連続する縁部要素、つまり、開口縁部１１の周方向全ての部位は、いずれも同じ形状に構成されていて、図７〜図１１で代表して示すように下側壁部１１ａと、この上側近傍に位置する外向きフランジ１１ｂと、これら両者を一体に接続した角筒壁部１１ｃとから形成されている。
【００２３】
取付け装置４は、器具本体２の周部、具体的には器具本体２の四つの縁部の内の少なくとも平行な二つの縁部２ｃ、２ｄの下面に、図２に示したように複数例えば２個ずつ配置されている。これらの取付け装置４は図４〜図１１に示すようにラッチベース２１と、仮保持部材２５と、ラッチ３１と、ロック部材４１とを備えている。
【００２４】
ラッチベース２１は、箱状部２２と、これから下向きに一体に突設された支持壁部２３と、箱状部２２に内蔵されたラッチホルダ２４とを有している。支持壁部２３は背板２３ａを有してコの字形状をなしている。箱状部２２は器具本体２の縁部２ｃ、２ｄにねじで固定されている。この場合、一方の縁部２ｃに固定された取付け装置４と他方の縁部２ｄに固定された取付け装置４とは、そのラッチベース２１の背板２３ａが背中合わせとなるように取付けられている（図２参照）。
【００２５】
図７〜図１１に示すようにラッチホルダ２４は、板状であって、箱状部２２内を第１の部屋と第２の部屋とに仕切っている。このラッチホルダ２４は第１の係止孔２４ａと第２の係止孔２４ｂとを有している。第１の係止孔２４ａは第２の係止孔２４ｂより高い位置に形成されている。第２の係止孔２４ｂは支持壁部２３が突設された箱状部２２の下壁に寄せて設けられている。この下壁には、前記第１の部屋に臨む第１の開口が設けられているとともに、前記第２の部屋に臨む第２の開口が設けられている。
【００２６】
仮保持部材２５は、相反する方向に突出した第１の腕部２５ａと第２の腕部２５ｂとを有しており、第１の腕部２５ａを前記第１の開口に通して箱状部２２の第１の部屋に収容されている。この仮保持部材２５は軸２６を中心に回転可能に設けられている。仮保持部材２５が往復回転されることにより第２の腕部２５ｂはラッチホルダ２４の第１の係止孔２４ａに挿脱可能である。
【００２７】
前記第１の部屋には板ばね２７が収容されていて、その中央曲がり部が仮保持部材２５に形成した溝２５ｃに係合されている。この板ばね２７によって、仮保持部材２５が所定の角度範囲で往復回転されるように仮保持部材２５の回転角が規制されている。
【００２８】
ラッチ３１は、コの字形状の支持壁部２３の内側に配置されているとともに、この支持壁部２３に枢軸３２を中心に回転可能に取付けられている。このラッチ３１は、図７に示した自由状態つまり支持解除位置と図９に示した支持位置とにわたって回転できる。
【００２９】
ラッチ３１は、押動部３３と、支持部３４と、凹部３５とを有している。押動部３３は、例えば枢軸３２から遠ざかったラッチ３１の平らな一側面で形成されているが、面でなく凸部等でもよい。支持部３４は、ラッチ３１の下面と面一に連続して押動部３３に直角に連続して突出されており、ラッチ３１の自由端部をなしている。この支持部３４は、前記下側壁部１１ａに接して前記開口縁部１１を支持するものであって、例えば平板状である。
【００３０】
凹部３５は、押動部３３を境に支持部３４とは反対側に押動部３３から連続したラッチ３１の上面に開放して形成されている。このため、凹部３５は押動部３３及び支持部３４よりも枢軸３２に近づいて設けられている。又、図７〜図１１中符号３６はラッチ３１の一部をなす凸状部を示している。この凸状部３６は、凹部３５を区画してこの凹部３５に隣接しているとともに、斜面３６ａを有している。
【００３１】
図７〜図１１に示すようにロック部材４１は、その先端部を前記第２の開口に嵌合させて箱状部２２の第２の部屋に上下に移動可能に収容されている。このロック部材４１は係止アーム４２を有している。係止アーム４２は、ロック部材４１に対してセルフヒンジ部４３を介して一体に接続されているとともに、セルフヒンジ部４３での弾性力で常にラッチホルダ２４に接するように設けられている。
【００３２】
この係止アーム４２は、このセルフヒンジ部４３を中心とする回転により第１の係止孔２４ａ及び第２の係止孔２４ｂに選択的に係脱可能である。第１の係止孔２４ａに係止アーム４２が係合した時にロック部材４１は図７等に示すロック解除位置に保持され、第２の係止孔２４ｂに係止アーム４２が係合した時にロック部材４１は図９に示すロック位置に保持される。
【００３３】
このロック部材４１の内側には付勢体例えばコイルばね４４が収容されている。このコイルばね４４のばね力でロック部材４１は箱状部２２の前記第２の開口から突出する方向に付勢されている。
【００３４】
天井面Ｆに固定された器具本体２にセード３を取付けるには、このセード３の四辺を器具本体２の四辺に対応させた状態で、セード３を押上げればよい。
【００３５】
この場合、器具本体２に既に固定されている取付け装置４は図４及び図７に示す状態にあり、ロック部材４１は箱状部２２内に押込まれたロック解除位置に配置されている。この状態では、ロック部材４１の係止アーム４２の先端部が第１の係止孔２４ａに係合して、ロック解除位置にロック部材４１が保持されている。ロック解除位置のロック部材４１は、ラッチ３１と非接触で、このラッチ３１の回転を拘束しない。これにより、ラッチ３１はその自重で自由回転して支持部３４が斜め下向きの姿勢を呈する支持解除位置に配置されている。又、仮保持部材２５の第２の腕部２５ｂの先端は係止アーム４２に接している。仮保持部材２５の第１の腕部２５ａの先端は、ラッチ３１から離れて、このラッチ３１の斜面３６ａに近接して対向配置されている。
【００３６】
セード３の押上げに伴い、図７に示すようにラッチ３１の支持部３４がセード３の開口３ａ内に入り込み、次いで、図８に示すようにセード３の開口縁部１１がラッチ３１の押動部３３を押すので、ラッチ３１が上向きに回転される。この場合、ラッチ３１の回転途上において斜面３６ａが仮保持部材２５の第１の腕部２５ａに当たる。
【００３７】
セード３の押上げの進行により、ラッチ３１の凸状部３６が軸２６を中心に仮保持部材２５を回転させるから、それに伴い仮保持部材２５の第２の腕部２５ｂが係止アーム４２を押すようになる。そして、支持部３４が開口縁部１１の下面に接するようにラッチ３１が回転された時点で、仮保持部材２５の第１の腕部２５ａが弾性変形を伴いながら凸状部３６を乗り越えて凹部３５に入り込むと同時に、仮保持部材２５の第２の腕部２５ｂによって、第１の係止孔２４ａから係止アーム４２が押し出される。
【００３８】
このため、図９に示すようにロック部材４１がコイルばね４４の付勢力で箱状部２２から下向きに突出されてロック位置に配置される。この場合、押動部３３とこれに直角な上面とがなす隅部が斜状に面取りされているので、突出しつつあるロック部材４１がラッチ３１に引っ掛かることがなく、ロック部材４１はロック位置に確実にロック位置に移動される。ロック位置に配置されたロック部材４１はラッチ３１の押動部３３に係合する。これにより、ラッチ３１の自由回転が防止されて、ラッチ３１はセード３の開口縁部１１を支持した状態に保持される。よって、セード３の取付けが完了する。
【００３９】
セード３の正方形状の開口縁部１１の各部はいずれも同じ形状であるので、その互いに平行な縁部要素は、いずれも、器具本体２の互いに平行な二つの縁部２ｃ、２ｄに固定された取付け装置４に、既述のセード押上げにより支持させることが可能である。このため、器具本体２に対するセード３の取付け方向性を考慮することなく、以上の手順で器具本体２にセード３を取付けことができる。
【００４０】
セード３の取付け完了の状態では、ロック部材４１の先端が開口縁部１１の外向きフランジ１１ｂに接近している。又、ロック部材４１の係止アーム４２が第２の係止孔２４ｂに係合して、ロック位置に配置されたロック部材４１を保持している。更に、仮保持部材２５の第１の腕部２５ａは、凹部３５に遊びをもって入り込んでいる。
【００４１】
器具本体２からセード３を外す場合には、まず、セード３を押上げてから引き下げればよい。
【００４２】
すなわち、セード３を押上げることにより、開口縁部１１がロック部材４１を箱状部２２内に押込むので、ロック部材４１がロック解除位置に移動される。この場合、係止アーム４２は、第２の係止孔２４ｂから外れて、ロック部材４１がロック解除位置に配置された時点で第１の係止孔２４ａに係合する。これにより、ロック部材４１がロック解除位置に保持される。この状態を図１０に示す。
【００４３】
次に、この状態からセード３を引き下げればよい。それに伴い、開口縁部１１がラッチ３１の支持部３４を押してラッチ３１を下向きに回転させる。このため、次に説明するセード３の仮保持状態を経て更に引き下げ操作が継続されることにより、セード３を外すことができる。
【００４４】
この場合、既述のようにセード３を一旦押上げてロック部材４１によるラッチ３１のロック（支持位置へのラッチ３１の保持）を解除した直後に、誤ってセード３から手を離しても、セード３の自由落下を抑制できる。つまり、前記ロック解除により、ラッチ３１が下向きに回転を始めると、その直後に凹部３５内に入り込んでいる仮保持部材２５の第１の腕部２５ａに凸状部３６が引っ掛って、ラッチ３１の回転が一旦停止される。この仮保持状態では図１１に示すようにラッチ３１の支持部３４はセード３の開口縁部１１にその下側から引っ掛かっている。したがって、セード３が天井から不用意に自由落下することを防止できる。
【００４５】
以上のように器具本体２からセード３を外す場合に、ラッチ３１のロックを外した後にラッチ３１が支持解除位置まで一気に回転されることがなく、ラッチ３１の回転が途中で中断されてセード３が外れることが一時的に中断される。このため、ラッチ３１のロックを外す操作に伴ってセード３が落下する恐れを抑制できる。
【００４６】
又、前記仮保持を担う仮保持部材２５の第１の腕部２５ａとラッチ３１の凹部３５及び凸状部３６との引っ掛り（係合）は、第１の腕部２５ａが可撓性を有している。このため、仮保持されているセード３を引き下げることで、第１の腕部２５ａを可撓変形させる軽い抵抗を経て、第１の腕部２５ａを凹部３５及び凸状部３６から容易に離脱させて、ラッチ３１を図７に示す支持解除位置に回転させて、セード３を外すことができる。
【００４７】
前記照明器具１は、既述のようにセード３を支持して支持位置に配置されたラッチ３１をロック部材４１で動かないように保持するので、大形のセード３などのようにセード３が重くても器具本体２への取付け状態を確実に保持できる。しかも、このような保持機能を有した複数の取付け装置４の夫々で器具本体２に取付けられたセード３を確実に保持できるので、片側の取付け装置４が破損した場合にも、セード３を落下し難くできる。
【００４８】
又、既述のようにセード３をその引き下げ方向とは異なる方向に一旦押上げてからセード３を引き下げることで、セード３を器具本体２から外すので、器具本体２に取付けられたセード３に引き下げ力が不用意に作用することがあっても、セード３が外れる恐れがない。
【００４９】
ラッチ３１が支持位置に配置された状態では、その支持部３４はセード３の開口縁部１１の下面に沿って配置されるので、この支持部３４の影がセード３に映り込み難い。又、前記照明器具１は、セード３にこれを器具本体２に取付けるための格別な機構や装置を要しないので、セード３を軽量にできるとともに、セード３の外側にラッチ３１との係合を外す操作部などが突出して照明器具１の外観を損なうことがない。
【００５０】
図１２〜図２０を参照して本発明の第２実施形態を説明する。以下の説明において、第１実施形態と同じ構成については、同一符号を付して説明を省略する。第２実施形態では、セード３の開口縁部の構成と、制光体取付け装置例えばセード取付け装置の構成が第１実施形態とは異なる。
【００５１】
セード３の開口３ａを区画する開口縁部１５の互いに直角に連続する縁部要素、つまり、開口縁部１１の周方向全ての部位は、いずれも同じ形状に構成されていて、図１７〜図２０で代表して示すように上下方向に一体に連続した縁部上側部分１５ａと縁部下側部分１５ｂとを備えている。縁部上側部分１５ａは開口３ａの内側に開放する内向き溝１６を形成している。縁部下側部分１５ｂは開口３ａの外側に開放する外向き溝１７を形成している。
【００５２】
セード取付け装置１４（以下取付け装置１４と略称する。）は、図１５及び図１６等に示すようにベース５１と、ラッチ５２と、トグルばね５３とを備えている。
【００５３】
ベース５１は、器具本体２の周部における平行な二つの縁部２ｃ、２ｄにねじで固定されている。ラッチ５２は、相対向する支持部５５と仮保持部５６を有しているとともに、これらの間に間隙Ｇを形成している。ラッチ５２の一端に設けられた支持部５５とラッチ５２の他端に設けられた仮保持部５６は、いずれもラッチ５２の幅方向に延びる開口を有した溝からなり、その開口は向かい合わされている。
【００５４】
ラッチ５２の支持部５５側の端部は枢軸５７を介してベース５１に回転可能に取付けら得ている。ベース５１に取付けられたラッチ５２の間隙Ｇは下方に向けられている。一方の縁部２ｃにねじ止めされた取付け装置１４と、他方の縁部２ｄにねじ止めされた取付け装置１４とは、ラッチ５２の仮保持部５６側の端部が向かい合うように配置されている。
【００５５】
トグルばね５３は、ラッチ５２の支持部５５側の端部に接してベース５１に組み込まれていて、ラッチ５２を付勢している。このトグルばね５３のラッチ５２に対する付勢力は、図１２中符号Ｗで示す中立線を境に作用方向が反転し、それにより枢軸５７を中心とするラッチ５２の回転にトグル運動が与えられるようになっている。このトグル運動により、ラッチ５２は図１５及び図１９に示すように器具本体２の下面に沿って保持される第１位置と、図１６及び図１７に示すように器具本体２に対して斜め下向きとなって保持される第２位置とにわたって回転される。
【００５６】
次に、既に天井面Ｆに固定された器具本体２にセード３を取付ける手順を説明する。
【００５７】
まず、全ての取付け装置４のラッチ５２を第１位から第２位置へ引き出して置く。この状態で、セード３を斜めにして、その傾斜上端側に位置されている縁部上側部分１５ａを、例えば縁部２ｃに取付けられた複数の取付け装置４のラッチ５２に引っ掛ける。この場合、間隙Ｇに縁部上側部分１５ａを通して、この縁部上側部分１５ａの内向き溝１６を仮保持部５６に引っ掛ける。この引っ掛け（係合）が完了した状態を図１７中左側部分に示す。
【００５８】
この作業では、縁部２ｃに取付けられた複数の取付け装置４のラッチ５２が斜め下向きとなっているとともに、セード３が斜めになっているので、ラッチ５２の視認が可能となり、よって、ラッチ５２への前記引っ掛け作業が容易である。
【００５９】
次に、縁部２ｃに取付けられた複数の取付け装置４の枢軸５７を中心とする回転を伴ってセード３の傾斜下端側（図１７中右側部分）を押上げる。それにより、縁部２ｃに取付けられた複数の取付け装置４のラッチ５２がその中立線Ｗを越えて第１位置に配置される。この時の押上げに伴いセード３は前記縁部２ｃ方向に押される。このため、縁部２ｃ側のラッチ５２に係合されていた縁部上側部分１５ａが、仮保持部５６から離れて支持部５５に引っ掛けられると同時に、支持部５５が縁部下側部分１５ｂの外向き溝１７に係合される。この状態を図１８中左側部分に示す。又、こうした挙動により、他方の縁部２ｄに取付けられた複数の取付け装置４のラッチ５２に対して、この縁部２ｄに対応する位置の縁部上側部分１５ａが下側から押し当たるようになる（図１８中右側部分参照）。
【００６０】
更に、セード３の押上げが進行することにより、縁部２ｄ側のラッチ５２の間隙Ｇに対応する位置に縁部上側部分１５ａが入り込んだ後に、縁部２ｄ側のラッチ５２が枢軸５７を支点に回転して、その中立線Ｗを越えて第１位置に配置される。それにより、縁部上側部分１５ａが、ラッチ５２の支持部５５に引っ掛けられる。これと同時に、支持部５５が縁部下側部分１５ｂの外向き溝１７に係合されて、図１９に示すようにセード３が器具本体２に取付けられる。
【００６１】
セード３の正方形状の開口縁部１５の各部はいずれも同じ形状であるので、その互いに平行な縁部要素は、いずれも、器具本体２の互いに平行な二つの縁部２ｃ、２ｄに固定された取付け装置１４に、既述の取付け手順で支持させることが可能である。このため、器具本体２に対するセード３の取付け方向性を考慮することなく、以上の取付け手順で器具本体２にセード３を取付けことができる。
【００６２】
セード３が取付けられた状態で各ラッチ５２は、器具本体２の下面に沿う第１位置に配置されていて、セード３の開口縁部１５を超えてセード３の内側に深く配置されることがない。このため、各ラッチ５２が光の妨げになり難い点で好ましい。
【００６３】
又、セード３が取付けられた状態では、図１９に示すように各ラッチ５２の支持部５５にセード３の開口縁部１５の縁部上側部分１５ａが係合していて、あたかも内側から突っ張っている状態にある。このため、セード３全体を平行に下げる力が作用した場合に、各ラッチ５２が第１位置から第２位置に移動することがなく、従って、セード３が器具本体２から前記力で不用意に外れる恐れがない。
【００６４】
又、セード３を外す場合には、取付けの手順とは逆に始めにセード３の片側を引き下げる。これにより、図１８に例示するように縁部２ｄ側の取付け装置４のラッチ５２が回転されて第１位置から第２位置に移動されるに伴って、これらラッチ５２から間隙Ｇを通って開口縁部１５の縁部上側部分１５ａが外れる。更に、セード３を斜め下方に引き下げることにより、縁部２ｃ側の取付け装置４のラッチ５２が回転されて第１位置から第２位置に移動される。
【００６５】
この場合、セード３が斜め下方に移動されるので、縁部２ｃ側の取付け装置４のラッチ５２の支持部５５に係合していた縁部上側部分１５ａが、直ぐにラッチ５２の仮保持部５６に引っ掛る。それにより、セード３の下降を一旦停止させて仮止め状態に保持できるから、この状態でセード３から作業者の手が離れても、セード３が落下することはない。
【００６６】
そして、この状態で、セード３を操作してその開口縁部１５の縁部上側部分１５ａを縁部２ｃ側のラッチ５２の間隙Ｇに通して、このラッチ５２から外すことにより、セード３を器具本体２から外すことができる。
【００６７】
このように器具本体２からセード３を傾けて外す場合に、セード３が傾くに伴って第２位置に配置されたラッチ５２の仮保持部５６に、セード３の開口縁部１５を一旦引っ掛けて仮止め状態に保持できるので、セード３が外れ落ちる恐れを抑制できる。
【００６８】
この第２実施形態の照明器具１は、セード３にこれを器具本体２に取付けるための格別な機構や装置を要しないので、セード３を軽量にできるとともに、セード３の外側にラッチ５２との係合を外す操作部などが突出して照明器具１の外観を損なうことがない。
【００６９】
図２０〜図２６は開示例に係る天井直付け形の照明器具を示している。この照明器具６１は、天井面Ｆに固定される器具本体６２と、制光体例えばセード６３と、四個の制光体取付け装置例えばセード取付け装置６４（以下取付け装置６４と略称する、）とを具備している。
【００７０】
図２１に示すように器具本体６２は、正方形状をなしていて、例えば四角枠状の本体枠６２ａの下面に反射部材６２ｂを装着して形成されている。反射部材６２ｂの下面には、図示しない複数のランプホルダを用いて蛍光ランプ７５が取付けられている。
【００７１】
セード６３は、透光性、好ましくは光を拡散しつつ透過させる乳白色の合成樹脂をブロー成形してなる成形体である。セード６３は、器具本体６２の形状に応じて、この器具本体６２より一回り大きい正方形状に形成されている。
【００７２】
図２２に示すようにセード６３の上端部には正方形状の開口６３ａが設けられている。開口６３ａは、セード６３の外形より小さく、かつ、反射部材６２ｂより大きい。この開口６３ａの縁部（開口縁部）６７の開口６３ａに臨んだ内壁部６７ａの四箇所に、係止凹部６８が形成されている。これら係止凹部６８は互いに９０度隔たった位置に設けられていて、開口６３ａの内側に開放されているとともに、下方にも開放されているが、上端は閉じられている。この閉じられた部分は引っ掛り部６８ｃとして利用される。係止凹部６８の幅方向両端部６８ａは図２６に示すように斜状に形成されている。
【００７３】
取付け装置６４は器具本体６２の四つの縁部に、その長手方向中央に位置して、つまり互いに９０度隔たった位置にねじ止めされている。これらの取付け装置６４は、本体枠６２ａの周部に固定される本体部７１と、この本体部７１から下向きに突設されて円弧状面を有したガイド部７２と、本体部７１にその側面から先端部を突出して移動可能に設けられたラッチ７３と、このラッチ７３を付勢する付勢体例えばコイルばね７４とを備えている。
【００７４】
ラッチ７３は、本体部７１の側面に開口した孔７１ａに通されて、この孔７１ａを出没するように移動できる。このラッチ７３は、コイルばね７４の付勢力で抜け出さないようにするために、孔７１ａの縁などに本体部７１の内側から接離されるストッパ部(図示しない)を有している。コイルばね７４は孔７１ａからラッチ７３が突出する方向にラッチ７３を付勢して、本体部７１に内蔵されている。
【００７５】
孔７１ａより突出されたラッチ７３の先端部７３ａの下面７３ｂは斜状のガイド面で形成されている。先端部７３ａの上面７３ｃは平面で形成されている。先端部７３ａの両側面７３ｄは、先端部７３ａを先細にする斜状面で形成されている。これらの斜状面は傾斜面又は円弧面で形成される。
【００７６】
天井面Ｆに固定された器具本体６２のセード６３を取付けるには、このセード６３の各縁部を器具本体６２の各縁部に対応させた状態で、セード６３を押上げればよい。
【００７７】
この場合、器具本体６２及びセード６３が正方形であり、器具本体６２の四つの各縁の長手方向中央位置に夫々取付け装置４が取付けられているとともに、これらに対応してセード６３の開口縁部６７の直線状各縁部分の長手方向中央位置に係止凹部６８が設けられているので、セード６３を取付ける際に器具本体２に対する方向性がなく、どの縁部を器具本体６２の縁部に対応させても良い。
【００７８】
セード６３が押上げられることにより、その開口縁部６７がラッチ７３の先端部７３ａの下面７３ｂに当たるので、押上げの進行に従いラッチ７３がコイルばね７４に抗して本体部７１に押込まれる方向に移動される。そして、内壁部６７ａの係止凹部６８がラッチ７３の先端部７３ａに対向した時点で、コイルばね７４によってラッチ７３が押し戻されて、このラッチ７３の先端部７３ａが係止凹部６８に係合される。この係合により、図２５に示すように係止凹部６８の引っ掛り部６８ｃがラッチ７３の上面７３ｃに引っ掛るので、それによってセード６３が器具本体２に取付けられる。
【００７９】
前記先端部７３ａの上面７３ｃは水平面であり、そこに開口縁部６７の内壁部６７ａが上側から引っ掛っているので、セード６３に引き下げ力が働いても、ラッチ７３が本体部７１内に引っ込むように動くことがないので、セード６３は外れることがない。
【００８０】
セード６３を器具本体６２から外すには、セード６３を例えば十数度未満の角度で回転させて、係止凹部６８をラッチ７３の先端部７３ａから外して引き下げればよい。つまり、セード６３を右方向又は左方向に回転させることにより、図２６中二点鎖線で例示したように係止凹部６８の両端部６８ａの内で回転方向下流側に位置した方の端部６８ａが、先端部７３ａの一方の側面７３ｄに押し当たって、ラッチ７３をコイルばね７４に抗して本体部７１に押込むように移動させる。これに伴いラッチ７３から係止凹部６８が外されるので、セード６３を下方に引き動かして器具本体６２から外すことができる。
【００８１】
以上のように前記照明器具６１は、器具本体６２にセード６３を取付けるときは、セード６３を器具本体６２に下方から押し上げればよく、器具本体６２からセード６３を外すときは、セード６３を回転させてから引き下げればよい。
【００８２】
したがって、この照明器具６１は重いセード６３であっても器具本体６２に対する取付け状態を確実に保持できるとともに、振動などが作用しても容易に外れないようにできる。しかも、照明器具６１は、セード６３にこれを器具本体６２に取付けるための格別な機構や装置を要しないので、セード６３を軽量にできるとともに、セード６３の外側にラッチ７３との係合を外す操作部などが突出して照明器具１の外観を損なうことがない。
【図面の簡単な説明】
【００８３】
【図１】本発明の第１実施形態に係る照明器具を示す断面図。
【図２】図１の照明器具をそのセードを外した状態で示す下面図。
【図３】図１の照明器具が備えるセードを示す断面図。
【図４】図１の照明器具が備えるセード取付け装置をそのラッチが支持解除位置に在る状態で示す斜視図。
【図５】図４のセード取付け装置をそのラッチが支持解除位置と支持位置との間に在る状態で示す斜視図。
【図６】図４のセード取付け装置をそのラッチが支持位置に在る状態で示す斜視図。
【図７】図１の照明器具が備えるセード取付け装置をセードの開口縁部とともにラッチが支持解除位置に在る状態で示す断面図。
【図８】図７のセード取付け装置をセードが押上げられている状態で示す断面図。
【図９】図７のセード取付け装置がセードを支持した状態を示す断面図。
【図１０】図９のセード取付け装置のロックが外される状態を示す断面図。
【図１１】図９のセード取付け装置からセードが外される途中でセードが仮保持された状態を示す断面図。
【図１２】本発明の第２実施形態に係る照明器具を示す断面図。
【図１３】図１２の照明器具をそのセードを外した状態で示す下面図。
【図１４】図１２の照明器具が備えるセードを示す上面図。
【図１５】図１２の照明器具が備えるセード取付け装置をそのラッチが第１位置に配置された状態で示す斜視図。
【図１６】図１２の照明器具が備えるセード取付け装置をそのラッチが第２位置に配置された状態で示す斜視図。
【図１７】図１２の照明器具で器具本体にセードを取付け始める状態を示すセード取付け装置まわりの断面図。
【図１８】図１２の状態からセードが押上げられつつある状態を示すセード取付け装置まわりの断面図。
【図１９】図１２の照明器具でセードを支持された状態を示すセード取付け装置まわりの断面図。
【図２０】開示例に係る照明器具を示す斜視図。
【図２１】図２０の照明器具をそのセードを外した状態で示す下面図。
【図２２】図２０の照明器具が備えるセードを示す上面図。
【図２３】図２０の照明器具が備えるセード取付け装置まわりを示す斜視図。
【図２４】図２２中Ｘ部を示す斜視図。
【図２５】図２０の照明器具のセード取付け装置まわりをセードとともに示す断面図。
【図２６】図２５中Ｙ−Ｙ線に沿って示す断面図。
【符号の説明】
【００８４】
１…照明器具、２…器具本体、２ｃ，２ｄ…器具本体の縁部、３…セード（制光体）、４…セード取付け装置（制光体取付け装置）、３ａ…開口、Ｆ…天井面、１１…開口縁部、２１…ラッチベース、２４…ラッチホルダ、２４ａ…第１の係止孔、２４ｂ…第２の係止孔、２５…仮保持部材、３１…ラッチ、３２…枢軸、３３…押動部、３４…支持部、３５…凹部、３６…凸状部、３６ａ…斜面、４１…ロック部材、４２…係止アーム、４３…セルフヒンジ部、４４…コイルばね、１４…セード取付け装置（制光体取付け装置）、１５…開口縁部、１５ａ…縁部上側部分、１５ｂ…縁部下側部分、１６…内向き溝、１７…外向き溝、５１…ベース、５２…ラッチ、５３…トグルばね、５５…支持部、５６…仮保持部、Ｇ…間隙、５７…枢軸
【図１】
2006324139.tif 000003
【図２】
2006324139.tif 000004
【図３】
2006324139.tif 000005
【図４】
2006324139.tif 000006
【図５】
2006324139.tif 000007
【図６】
2006324139.tif 000008
【図７】
2006324139.tif 000009
【図８】
2006324139.tif 000010
【図９】
2006324139.tif 000011
【図１０】
2006324139.tif 000012
【図１１】
2006324139.tif 000013
【図１２】
2006324139.tif 000014
【図１３】
2006324139.tif 000015
【図１４】
2006324139.tif 000016
【図１５】
2006324139.tif 000017
【図１６】
2006324139.tif 000018
【図１７】
2006324139.tif 000019
【図１８】
2006324139.tif 000020
【図１９】
2006324139.tif 000021
【図２０】
2006324139.tif 000022
【図２１】
2006324139.tif 000023
【図２２】
2006324139.tif 000024
【図２３】
2006324139.tif 000025
【図２４】
2006324139.tif 000026
【図２５】
2006324139.tif 000027
【図２６】
2006324139.tif 000028